(57)【特許請求の範囲】
【請求項１】
ごみ焼却設備に付設される給じん機であって、
内部にごみが投入されるハウジングと、
このハウジング内に収容され、水平な中心軸回りに回転駆動される破砕ロータと、
この破砕ロータの上に投入されるごみを当該破砕ロータと協働して粗破砕するための固定刃と、
前記破砕ロータの回転方向について前記固定刃の下流側の位置に設けられ、前記破砕ロータに付着するごみを掻き落とすスクレーパと、を備え、
前記破砕ロータは、前記中心軸回りに回転駆動されるドラムと、このドラムの外周面上に配設される複数の回転刃支持環と、を備え、
各回転刃支持環は、前記ドラムの回転周方向に延び、その回転周方向に間欠的に並ぶ複数の位置に回転刃を支持し、これらの回転刃支持環は、当該ドラムの回転軸方向に互いに間隔をおいて配設されることにより、互いに隣り合う回転刃支持環同士の間に周方向に延びる周溝を形成し、
前記各固定刃は、前記周溝の底面に対して前記ドラムの回転径方向に所定の間隔をおいて対向するように、互いに隣り合う回転刃支持環同士の間に配置され、前記破砕ロータの回転に伴ってその回転方向に運ばれるごみを前記回転刃との噛み合いによって粗破砕し、
前記スクレーパは、複数の掻き落とし部材を有し、これらの掻き落とし部材は、前記周溝の底面に対して前記ドラムの回転径方向に前記固定刃よりも小さな間隔をおいて対向するように、互いに隣り合う回転刃支持環同士の間に、前記破砕ロータに付着したごみを当該破砕ロータの回転に伴って掻き落とすように配置され、
前記各周溝の底面の周方向の一部には、他の部分よりも径方向外向きに突出して前記掻き落とし部材と対向可能な切断用突出部が形成され、各切断用突出部の突出寸法は、前記破砕ロータの回転に伴って前記各掻き落とし部材に接触しないがこの掻き落とし部材との間で前記長尺物にせん断力を与えて当該長尺物を切断することが可能な程度まで当該掻き落とし部材と近接するように、設定される、給じん機。
【請求項２】
請求項１記載の給じん機であって、前記各切断用突出部は、その回転周方向の寸法よりもドラムの回転軸方向と平行な方向の寸法が大きい形状を有する、給じん機。
【請求項３】
請求項２記載の給じん機であって、前記切断用突出部は、前記各周溝の幅方向全域にわたって延びる形状を有する、給じん機。
【請求項４】
請求項１〜３のいずれかに記載の給じん機であって、前記各回転刃支持環において前記切断用突出部のうちの少なくとも一つに隣接する部位に当該回転刃支持環の幅方向に延びて長尺物切断用の刃を受け入れることが可能な幅溝が形成されている、給じん機。
【発明の詳細な説明】
【技術分野】
【０００１】
本発明は、ごみ処理設備に付設される給じん機であって、処理されるべきごみを供給する前に粗破砕する機能を有するものに関する。
【背景技術】
【０００２】
従来、ごみ焼却炉等のごみ処理設備に付設される給じん機の中には、処理されるべきごみをその供給前に予め粗破砕（例えば破袋）する機能を備えたものがある。
【０００３】
例えば、特許文献１には、図１１に示すような破砕ロータ２と固定側の複数の破砕刃４とを内蔵した給じん機が開示されている。前記破砕ロータ２は、円筒状のドラム５と、このドラム５の外周面上に固定される複数の回転刃支持環６とを備える。各回転刃支持環６は前記ドラム５の周方向に延びる形状を有し、これらの回転刃支持環６が前記ドラム５の軸方向に所定の間隔をおいて並ぶように当該ドラム５の外周面上に配置される。各回転刃支持環６は、周方向に間隔をおく複数の位置で径方向外向きに突出する複数の低歯（図１１では「×」の部分）６ａと高歯（図１１では斜線の部分）６ｂとを有し、各歯６ａ，６ｂに回転刃が装着される。これに対して前記各破砕刃４は互いに隣り合う回転刃支持環６同士の間に位置し、破砕ロータ２の回転に伴って前記各回転刃と間隔をおいて噛み合うように配置されている。
【０００４】
この破砕ロータ２を備えた給じん機に投入されたごみは、当該破砕ロータ２の上に落下し、この破砕ロータ２の回転に伴ってその回転方向に搬送される。そして、当該破砕ロータ２の回転刃と前記固定刃４との噛み合い部分で粗破砕された後、給じん機の底部から排出され、ごみ焼却炉等に供給される。
【先行技術文献】
【特許文献】
【０００５】
【特許文献１】特許２７２１８０７号公報
【発明の概要】
【発明が解決しようとする課題】
【０００６】
前記のような破砕ロータ２では、互いに隣り合う回転刃支持環６同士の間に周方向に連続する周溝８が形成されるため、この周溝８に紐などの長尺物が巻きつき易い。しかも、当該周溝８の底面すなわちドラム５の外周面と各固定刃４の端面との間には両者の干渉を確実に回避するためにかなり大きな間隙Ｇが与えられるから、前記のように捲きついた長尺物は前記周溝８内で堆積し易く、その堆積が破砕ロータ２の正常な運転を阻害するおそれがある。
【０００７】
そこで従来は、前記給じん機の運転を定期的または不定期的に停止させ、手動にて前記周溝８内の長尺物に切断刃を入れて当該長尺物を破砕ロータ２から除去する作業が行われているが、このように給じん機の停止を伴う作業の頻度が高いほど当該給じん機、さらには当該給じん機を含むごみ焼却設備全体の運転効率が低下するという不都合が発生する。
【０００８】
本発明は、このような事情に鑑み、供給すべきごみをその供給前に予め粗破砕するための破砕ロータを備え、かつ、この破砕ロータへの長尺物の捲き付けを有効に抑止することにより運転効率を高めることが可能な給じん機を提供することを目的とする。
【課題を解決するための手段】
【０００９】
前記課題を解決するための手段として、本発明者らは、前記固定刃と同じく破砕ロータの周囲に配置されるスクレーパに着目した。このスクレーパは、例えば図１１に示される破砕ロータ２の回転方向について前記固定刃４の下流側に設けられ、当該固定刃４と回転刃との噛み合い部分を通過してから破砕ロータ２から離れずに回転しようとするごみを掻き落とすものであり、前記固定刃４と同じく各周溝８の底面に対向するように設けられ、かつ、その底面上のごみを掻き落とすべく前記固定刃４よりも前記底面に近い位置に配設される。このスクレーパに前記長尺物を切断する機能を与えることができれば、前記周溝８内での長尺物の堆積を自動的にかつ有効に抑止することが可能である。
【００１０】
本発明に係る給じん機は、このような観点から創出されたものであり、内部にごみが投入されるハウジングと、このハウジング内に収容され、水平な中心軸回りに回転駆動される破砕ロータと、この破砕ロータの上に投入されるごみを当該破砕ロータと協働して粗破砕するための固定刃と、前記破砕ロータの回転方向について前記固定刃の下流側の位置に設けられ、前記破砕ロータに付着するごみを掻き落とすスクレーパと、を備える。前記破砕ロータは、前記中心軸回りに回転駆動されるドラムと、このドラムの外周面上に配設される複数の回転刃支持環と、を備える。各回転刃支持環は、前記ドラムの回転周方向に延び、その回転周方向に間欠的に並ぶ複数の位置に回転刃を支持する。これらの回転刃支持環は、当該ドラムの回転軸方向に互いに間隔をおいて配設されることにより、互いに隣り合う回転刃支持環同士の間に周方向に延びる周溝を形成する。前記各固定刃は、前記周溝の底面に対して前記ドラムの回転径方向に所定の間隔をおいて対向するように、互いに隣り合う回転刃支持環同士の間に配置され、前記破砕ロータの回転に伴ってその回転方向に運ばれるごみを前記回転刃との噛み合いによって粗破砕する。前記スクレーパは、複数の掻き落とし部材を有し、これらの掻き落とし部材は、前記周溝の底面に対して前記ドラムの回転径方向に前記固定刃よりも小さな間隔をおいて対向するように、互いに隣り合う回転刃支持環同士の間に配置され、前記破砕ロータに付着したごみを当該破砕ロータの回転に伴って掻き落とす。
【００１１】
さらに、この給じん機の特徴として、前記各周溝の底面の周方向の一部には、他の部分よりも径方向外向きに突出して前記掻き落とし部材と対向可能な切断用突出部が形成される。各切断用突出部の突出寸法は、前記破砕ロータの回転に伴って前記各掻き落とし部材に接触しないが、この掻き落とし部材との間で前記長尺物にせん断力を与えて当該長尺物を切断することが可能な程度まで当該掻き落とし部材と近接するように、設定される。
【００１２】
この給じん機によれば、本来は破砕ロータに付着したごみを掻き落とすために配置されるスクレーパを有効に利用した簡素な構造で、当該破砕ロータに捲き付く長尺物を切断してその堆積を有効に抑止することができる。具体的に、前記各周溝の底面に形成される切断用突出部は、当該周溝の周方向の一部にのみ局所的に設けられることから、前記スクレーパにおける掻き落とし部材との間で前記長尺物にその切断に有効なせん断力を生じさせることが可能である。また、例えば単純に各掻き落とし部材と各周溝の底面との間隙を減少させて周溝の底面全体を掻き落とし部材に近接させることは、当該スクレーパと破砕ロータの組立て誤差も考慮すると、事実上困難であるが、前記切断用突出部は、前記周溝の周方向の一部のみに局所的に設けられるものであることから、この切断用突出部の外側面を適宜除去加工することで、当該切断用突出部と前記掻き落とし部材との近接度合い、すなわち両者の間の間隙寸法を、容易に調整することが可能である。
【００１３】
さらに、前記切断用突出部は、周溝内に捲き付く長尺物を局所的に径方向外向きに隆起させる作用も有することから、この切断用突出部の形状や突出寸法によっては、当該切断用突出部単独でも、前記長尺物の張力を増大させてこれを前記切断用突出部に圧接させることで、当該長尺物の切断を促進する効果を奏する可能性がある。
【００１４】
前記各切断用突出部は、その回転周方向の寸法よりもドラムの回転軸方向と平行な方向すなわち幅方向の寸法が大きい形状を有することが好ましい。この形状は、当該切断用突出部とスクレーパにおける掻き落とし部材とが近接する時間を短くして当該近接に起因する掻き落とし部材への負荷及び当該掻き落とし部材の磨耗を抑制しながら、高い切断促進効果を得ることを可能にする。さらには、前記切断用突出部は、前記各周溝の幅方向全域にわたって延びる形状を有すれば、当該切断用突出部の側方に長尺物が進入するのを確実に阻止することができる。
【００１５】
前記のように、前記各切断用突出部は、前記掻き落とし部材と協働して長尺物の切断を促すものであるが、これらによっても切断されずに周溝内に堆積する長尺物を定期的または不定期的に手動あるいは専用の切断装置によって別途切断することを排除する趣旨ではない。その場合も、前記切断用突出部と前記掻き落とし部材との組み合わせは、長尺物の切断のために給じん機の運転を停止させる頻度を下げることで、運転効率の向上に寄与することができる。
【００１６】
さらに、前記の別途の切断のためには、前記各回転刃支持環において前記切断用突出部のうちの少なくとも一つに隣接する部位に当該回転刃支持環の幅方向に延びて長尺物切断用の刃を受け入れることが可能な幅溝が形成されていることが好ましい。このような位置に幅溝が形成されることは、前記切断用突出部に、前記掻き落とし部材と協働しての長尺物切断機能に加え、前記幅溝に挿入される長尺物切断用の刃を案内する案内部材としての機能も付与することを可能にする。
【発明の効果】
【００１７】
以上のように、本発明によれば、供給すべきごみをその供給前に予め粗破砕するための破砕ロータを備え、かつ、この破砕ロータへの長尺物の捲き付けを有効に抑止することにより運転効率を高めることが可能な給じん機を提供することができる。
【図面の簡単な説明】
【００１８】
【図１】本発明の実施の形態に係る粗破砕機能付給じん機の断面正面図である。
【図２】前記給じん機における破砕ロータの周面部分の斜視図である。
【図３】前記破砕ロータの展開図である。
【図４】前記給じん機における固定側破砕部の正面図である。
【図５】前記固定側破砕部の側面図である。
【図６】前記給じん機におけるスクレーパの正面図である。
【図７】前記スクレーパの側面図である。
【図８】前記破砕ロータと前記固定側破砕部の固定刃との位置関係を示す断面側面図である。
【図９】前記破砕ロータと前記スクレーパとの位置関係を示す断面側面図である。
【図１０】前記破砕ロータのリブと前記スクレーパとの位置関係を示す断面正面図である。
【図１１】従来の給じん機における破砕ロータを模式的に示す平面図である。
【発明を実施するための形態】
【００１９】
本発明の実施の形態を図１〜図１０を参照しながら説明する。
【００２０】
図１に示す給じん機１０は、図略のごみ焼却炉に付設されて当該ごみ焼却炉の炉内に焼却されるべきごみを投入するものであり、さらに、その投入前のごみを粗破砕（この実施の形態では破袋）する機能を有している。具体的に、この給じん機１０は、図示しないごみクレーンから供給されるごみ（ここでは袋ごみ）Ｗを受入れて一時貯留するホッパー１２と、このホッパー１２から排出されたごみＷを粗破砕してから下方に排出する本体部１４と、前記ホッパー１２から排出されたごみＷを前記本体部１４に向けて押出すプッシャ１６と、前記本体部１４から排出されたごみに振動を与えながらごみ焼却炉へ搬送する振動コンベア１８と、を備える。
【００２１】
前記本体部１４は、前記ホッパー１２と連続するハウジング２０と、このハウジング２０内に収容される破砕ロータ２２と、この破砕ロータ２２と協働してごみＷの粗破砕（破袋）を行うための固定側破砕部２４と、この固定側破砕部２４を通過した後に破砕ロータ２２に付着したまま残存するごみＷを掻き落とすためのスクレーパ２６と、を備える。
【００２２】
前記破砕ロータ２２は、ドラム２８と、図２及び図３にも示すような複数本（この実施の形態では７本）の回転刃支持環３０と、各回転刃支持環３０に取付けられる複数の回転刃３２とを備える。この破砕ロータ２２は、前記プッシャ１６により押出されたごみＷが当該破砕ロータ２２の上に投下され、かつ、当該破砕ロータ２２から落下したごみが前記振動コンベア１８に至るように、配置されている。
【００２３】
前記ドラム２８は、円筒状をなし、その中心軸が水平となるように配置されるとともに、当該中心軸回りに図略のモータによって例えば１．０〜２．０ｒｐｍ程度の速度で回転駆動される。このドラム２８の軸方向の両端部には、図８に示すように、その外周面から径方向外向きに突出するようにフランジ２９が設けられている。
【００２４】
前記各回転刃支持環３０は、前記ドラム２８の外周面上に配設され、当該ドラム２８の回転周方向に延び、その回転周方向に間欠的に並ぶ複数の位置にそれぞれ配置されている。すなわち、これらの回転刃支持環３０は、当該ドラム２８の回転軸方向に互いに間隔をおいて配設され、これにより、互いに隣り合う回転刃支持環３０同士の間に周方向に延びる周溝３４を形成する。
【００２５】
各回転刃支持環３０は、その周方向に間欠的に並ぶ複数の適当な位置に、回転刃支持部である低歯３０ａ及び高歯３０ｂを有する。図３では低歯３０ａの領域が×印で示され、高歯３０ｂの領域が斜線で示されている。各低歯３０ａ及び各高歯３０ｂは、他の部分よりも径方向外向きに突出し、高歯３０ｂは低歯３０ａよりも大きな突出寸法を有する。各回転刃３２は、各歯３０ａ，３０ｂの回転方向下流側の面に図８に示すような埋め込みボルト３３によって固定され、後述の固定刃４４との噛み合いによりごみＷを粗破砕（ここでは破袋）する機能を有する。
【００２６】
各歯３０ａ，３０ｂの位置は、効率のよい粗破砕が可能となるように、例えば経験則によって定められればよい。図３に示す例では、一つの回転刃支持環３０について３つの高歯３０ｂが１２０°間隔で配され、高歯３０ｂ同士の間に２つの低歯３０ａが３０°間隔で配されている。しかし、本発明では各回転刃の支持構造や位置はこれに限定されない。例えば、回転刃支持環３０にこれと一体に回転刃が形成されてもよい。
【００２７】
なお、本発明に係る回転刃支持環は、必ずしも全周にわたって連続していなくてもよく、その周方向の一部が欠如したものでもよい。あるいは、当該回転刃支持環が周方向に分割された複数の円弧状部材の集合体であってもよい。
【００２８】
前記固定側破砕部２４は、図４及び図５に示すような回動部材３８と、この回動部材３８を駆動するための第１シリンダ４０と、前記回動部材３８に支持される複数の固定刃支持板４２とを備え、各固定刃支持板４２にそれぞれ当該固定刃支持板４２と一体に前記固定刃４４が形成されている。
【００２９】
前記回動部材３８は、その上端が支軸３６を介してハウジング２０側に支持され、当該支軸３６を中心に回動することにより、図４に実線で示すように前記破砕ロータ２２に接近する第１破砕位置と、同図二点鎖線で示すように前記破砕ロータ２２から離れる第１退避位置との間で移動することが可能である。前記第１シリンダ４０は、ここでは図５に示すような左右２箇所の位置に設けられ、それぞれ例えば油圧によって伸縮方向に駆動される。各第１シリンダ４０は、その一端が前記回動部材３８の下端部に連結され、他端が固定側（例えばハウジング２０側）に支持され、当該第１シリンダ４０の伸縮によって前記回動部材３８を前記第１破砕位置と前記第１退避位置との間で回動させる。
【００３０】
前記各固定刃支持板４２は、図５に示すように前記破砕ロータ２２の回転軸方向と平行な方向に間隔をおいて配列され、同方向に延びる共通の支軸４１を介して前記回動部材３８に当該支軸４１を中心として回動可能となるように支持されている。詳しくは、各固定刃支持板４２の先端部にそれぞれ前記固定刃４４が形成され、これらの固定刃４４が（前記回動部材３８が前記第１破砕位置にあるときに）前記破砕ロータ２２において互いに隣り合う回転刃支持環３０の回転刃３２同士の間に位置するように、各固定刃支持板４２が配列されている。
【００３１】
各固定刃支持板４２は、前記支軸４１回りの回動により、図４に示すように各回転刃４４をドラム２８の外周面に近づける第２破砕位置と、当該回転刃４４をドラム２８の外周面から退避させる第２退避位置との間で移動する。前記第２破砕位置にあるときの固定刃４４の先端と周溝３４の底面すなわちドラム２８の外周面との間隙Ｇ１は、図８に示すように、比較的大きめに設定されている。具体的には、前記破砕ロータ２２の回転に伴う前記各回転刃３２と前記各固定刃４４との噛み合いによって当該破砕ロータ２２の外周面上のごみを粗破砕することが可能となるように、前記各固定刃４４と前記各回転刃３２との相対位置関係が設定されている。
【００３２】
前記第２シリンダ４６は、ここでは図５に示すように左右に並ぶ２つの位置にそれぞれ配置され、例えば油圧により伸縮駆動される。各第２シリンダ４６は、前記回動部材３６に回動可能に連結される上端部と、適当な固定刃支持板４２の後端に回動可能に連結される下端とを有し、当該第２シリンダ４６の伸縮によって全ての固定刃支持板４２を前記支軸４１と一体に前記第２破砕位置と前記第２退避位置との間で回動させる。
【００３３】
前記スクレーパ２６は、前記破砕ロータ２２の回転方向について前記固定側破砕部２４の下流側の位置に設けられている。このスクレーパ２６は、図６及び図７に示すように、前記ドラム２８の回転軸と平行な支軸４８と、これらの支軸４８に連結される複数の掻き落とし板５０と、互いに隣り合う掻き落とし板５０同士を連結する連結板５３と、第３シリンダ５２とを備える。
【００３４】
前記各掻き落とし板５０は、図７及び図９に示すように前記破砕ロータ２２の回転軸方向と平行な方向に間隔をおいて配列され、その下端部が共通の前記支軸４８に連結されるとともに当該支軸４８を中心として回動可能となるようにハウジング２０側に支持されている。詳しくは、各掻き落とし板５０は、前記破砕ロータ２２の周溝３４の底面すなわちドラム２８の外周面に接近可能な先端部５０ａを有し、この先端部が掻き落とし部を構成する。前記各掻き落とし板５０は、その先端部５０ａが前記破砕ロータ２２において互いに隣り合う回転刃支持環３０同士の間に位置するように、配列されている。
【００３５】
各掻き落とし板５０は、前記支軸４８回りの回動により、図６に実線で示すようにこれらの先端部５０ａが前記周溝３４の底面に接近する掻き落とし位置と、同図に二点鎖線で示すように当該先端部５０ａが前記周溝３４の底面から退避する退避位置との間で移動する。図９に示すように、前記掻き落とし位置にあるときの前記各掻き落とし板５０の先端部５０ａと前記周溝３４の底面との間隙Ｇ２の寸法は、当該先端部５０ａが周溝３４内のごみを確実に掻き落とすことが可能となるように、前記第２破砕位置にある各固定刃４４の先端と前記周溝３４の底面との間隙Ｇ１（図８）の寸法よりもさらに小さく設定されている。
【００３６】
前記第３シリンダ５２は、ここでは図７に示すように左右に並ぶ２つの位置にそれぞれ配置され、例えば油圧により伸縮駆動される。各第３シリンダ５２は、ハウジング２０側に連結される一方の端部と、適当な掻き落とし部材５０に形成されたボス５１に回動可能に連結される他方の端部とを有し、当該第３シリンダ５２の伸縮によって全ての掻き落とし部材５０を前記支軸４８と一体に前記掻き落とし位置と前記退避位置との間で回動させる。
【００３７】
さらに、この給じん機１０の特徴として、前記破砕ロータ２２における各周溝３４の底面の周方向の一部には、他の部分よりも径方向外向きに突出して前記掻き落とし板５０の先端部５０ａと対向可能な切断用突出部が形成されている。この実施の形態では、一つの周溝３４について図３に示すように周方向に１８０°間隔で並ぶ２つの位置に、図８〜図１０に示すような角材からなるリブ６０がその両側の回転刃支持環３０あるいはドラム２８の外周面に溶接によって固定され、これにより前記切断用突出部を形成している。
【００３８】
前記周溝３４の底面からの各リブ６０の突出寸法は、図９に示すように、前記破砕ロータ２２の回転に伴って前記各掻き落とし板５０の先端部５０ａに接触しないが当該先端部５０ａに微小寸法の間隙Ｇ３のみを残して近接するように設定されている。前記間隙Ｇ３の微小寸法は、後述のような長尺物切断作用を得ることが可能となるように調整されており、当該寸法は、例えば、前記ハウジング２０内に前記破砕ロータ２２及び前記スクレーパ２６を組付けてから前記リブ６０の外側面を研削又は研磨により除去加工することにより微調整することが可能である。
【００３９】
また、この給じん機１０では、前記各回転刃支持環３０の適所に、その幅方向（ドラム２８の回転軸と平行な方向）に延びる複数の幅溝６２が形成されている。これらの幅溝６２は、前記周溝３４に長尺物が捲き付いた場合にこの長尺物を切断するための刃物の刃を受け入れることが可能な寸法を有する。さらに、この実施の形態に係る前記各幅溝６２は、前記各切断用突出部を構成するリブ６０のうちの特定のリブ６０に隣接する位置に形成されている。
【００４０】
次に、この給じん機１０の作用を説明する。
【００４１】
前記ホッパー１２から給じん機１０内に投入されたごみＷは、プッシャ１６によりハウジング２０の内方に押出されて本体部１４における破砕ロータ２２の上に投下される。このごみＷは、前記破砕ロータ２２の各回転刃支持環３０における低歯３０ａまたは高歯３０ｂに装着された回転刃３２により順次捕らえられて破砕ロータ２２の回転方向に移送される。一方、固定側破砕部２４における各固定刃４４は第１及び第２シリンダ４０，４６の伸長により第２破砕位置に位置決めされ、これらの固定刃４４と前記回転刃３２との噛み合いにより前記ごみＷが粗破砕され、当該ごみＷに含まれる袋ごみは破られる。
【００４２】
前記噛み合い部分で破砕されたごみＷは、基本的にその下流側で振動コンベア１８上に落下してごみ焼却炉等に搬入（供給）されるが、落下せずに破砕ロータ２２の周溝３４内に滞留した破砕済のごみＷは、その下流側のスクレーパ２６によって掻き落とされる。具体的には、当該スクレーパ２６における各掻き落とし板５０が第３シリンダ５２の伸長により掻き落とし位置にある状態、すなわち、各掻き落とし板５０の先端部５０ａが各周溝３４内に進入した状態で、当該先端部５０ａが到来する滞留ごみＷを捕らえてこれを周溝３４内から掻き落とす。
【００４３】
前記破砕ロータ２２では、互いに隣り合う回転刃支持環３０同士の間にそれぞれ周溝３４が形成されているから、前記ごみＷに含まれる長尺物、例えば紐、は、当該周溝３４に巻きつき易い。しかも、当該周溝３４の底面と固定刃４４の先端や掻き落とし板５０の先端部５０ａとの間には比較的大きな間隙Ｇ１，Ｇ２が残っているため、前記周溝３４内で捲き付く長尺物は、従来の破砕ロータのように特に対策が施されていないもの（例えば図１１に示される破砕ロータ２）では、そのまま径方向に滞留して給じん機の正常な運転を阻害するおそれがある。このため、従来の給じん機では、比較的高い頻度で当該給じん機の運転が停止され、前記長尺部を刃物で切断して取り除く作業が行われなければならず、このことが当該給じん機の運転効率の低下を招く。
【００４４】
これに対し、この実施の形態に係る給じん機１０では、前記各周溝３４内に切断用突出部を構成するリブ６０が配設されるだけのきわめて簡素な構造で、当該周溝３４内に捲き付く長尺物の切断が促進され、これにより給じん機１０の運転効率が高められる。具体的に、前記周溝３４内に入り込んだ長尺物は、図１０に示すように、破砕ロータ２２の回転に伴って前記切断用突出部であるリブ６０と掻き落とし板５０の先端部５０ａとの間に挟み込まれ、これにより当該長尺物にはその切断に有効なせん断力が与えられる。これにより、当該長尺物の捲き付き、少なくとも当該捲き付きによる堆積、が有効に抑止される。
【００４５】
この切断促進効果を得るためには、掻き落とし板５０の先端部５０ａとリブ６０との間隙Ｇ３の寸法を小さく抑えることが重要である。具体的には、前記先端部５０ａと周溝３４の底面（ドラム２８の外周面）との間隙Ｇ２が約２０ｍｍである場合に、１５ｍｍ程度の高さのリブ６０を配設して当該リブ６０と先端部５０ａとの間隙Ｇ３を５ｍｍ程度に抑えることにより、長尺物の著しい切断効果が得られることが確認された。
【００４６】
また、前記切断用突出部は、周溝３４の周方向の一部において局所的に突出するものであることが、肝要である。例えば、前記周溝３４の全周にわたって当該周溝３４の底面と掻き落とし板５０の先端部５０ａとの間隙Ｇ２の寸法を前記微小寸法と同等の寸法（例えば５ｍｍ程度）に追い込んだとしても、長尺物にその切断に有効なせん断力を与えることは難しく、また前記先端部５０ａの磨耗をいたずらに促進するおそれがある。また、スクレーパ２６への負荷も高くなる。また、組立事情からしても、周溝３４の底面と前記先端部５０ａとの間の隙間寸法を高精度で管理することは困難である。これに対し、周方向の一部にのみ存在する切断用突出部（この実施の形態ではリブ６０）は、前記掻き落とし板５０の先端部５０ａとの協働により、破砕ロータ２２の回転に伴って長尺物に有効なせん断力を与えることが可能であり、また、前記間隙Ｇ３の微小寸法も当該切断用突出部（リブ６０）の外側面を削ることで容易に調整することが可能である。
【００４７】
前記間隙Ｇ３の具体的な寸法は、装置の仕様等に応じて適宜設定が可能である。一般に、当該間隙Ｇ３の寸法は、スクレーパの負荷が過大となるのを防ぐという観点からは３ｍｍ以上に設定されるのが、好ましい。その一方、長尺物が堆積するにつれてその弾性が増し、スクレーパとの接触による剪断作用が働きにくくなって当該長尺物の切断が困難化するという事情に鑑みると、前記間隙Ｇ３は１０ｍｍ以下に設定されるのが好ましい。
【００４８】
さらに、前記切断用突出部の存在は、捲き付いた長尺物の一部を局所的に径方向外向きに隆起させるため、これにより当該長尺物の張力を高めて当該切断用突出部の角の部分を当該長尺物に食い込ませる可能性がある。従って、当該切断用突出部単独でも長尺物の切断を促進する可能性が期待できる。
【００４９】
さらに、前記各切断用突出部を構成するリブ６０は、その回転周方向の寸法よりもドラム２８の回転軸方向と平行な方向すなわち幅方向の寸法が大きい形状を有することから、当該リブ６０と掻き落とし板５０の先端部５０ａとが近接する時間を短くして当該近接に起因する前記先端部５０ａへの負荷及びその磨耗を抑制しながら、高い切断促進効果を得ることを可能にする。さらに、この実施の形態に係るリブ６０は周溝３４の幅方向全域にわたって延びていることから、当該リブ６０の側方に長尺物が入り込むのを阻止することができる。
【００５０】
一方、前記各回転刃支持環３０の適所には、長尺物を切断するための刃物の刃を受け入れることが可能な幅溝６２が形成されているから、仮に長尺物が周溝３４内で巻付いても、給じん機１０の運転停止中に適当な幅溝に前記刃物の刃を挿入するようにして当該刃を前記長尺物に入れることにより、当該長尺物を効率よく切断することができる。しかも、前記幅溝６２は特定のリブ６０と隣接する位置に設けられているから、当該リブ６０は、当該幅溝６２内に挿入される刃を案内する案内部材としても機能することが可能である。
【００５１】
なお、各掻き落とし板５０の先端部５０ａはその幅方向についてリブ６０の全域にわたって設置される必要はなく、図示のようにリブ６０よりも小さい幅を有していてもよい。前記先端部５０ａとリブ６０との切断作用によって長尺物が切断されて除去されると、切断された周囲の長尺物が除去された部分に移動するとともに、前述したリブ６０自体の切断効果によって、結果的にリブ６０上に長尺物が所定量以上堆積することを抑制されることが期待できるからである。
【００５２】
また、先端部５０ａの幅を小さくすることでリブ６０による掻き落とし板への負荷を抑えながら長尺物へ作用する力を大きくすることができる。
【００５３】
なお、前記幅溝は、既に成形された回転刃支持環の一部を切除することにより形成されたものでもよいし、回転刃支持環を構成する複数の円弧状部材の端面同士を意図的に周方向に離間させることにより当該端面同士の間に形成されたものであってもよい。
【符号の説明】
【００５４】
１０    給じん機
１４    本体部
２０    ハウジング
２２    破砕ロータ
２４    固定側破砕部
２６    スクレーパ
２８    ドラム
３０    回転刃支持環
３０ａ  低歯
３０ｂ  高歯
３２    回転刃
３４    周溝
４４    固定刃
５０    掻き落とし板
５０ａ  掻き落とし板の先端部
６０    リブ（切断用突出部を構成）
６２    幅溝
Ｇ３    リブ６０と先端部５０ａとの間隙
【図１】
0005433651.tif 000002
【図２】
0005433651.tif 000003
【図３】
0005433651.tif 000004
【図４】
0005433651.tif 000005
【図５】
0005433651.tif 000006
【図６】
0005433651.tif 000007
【図７】
0005433651.tif 000008
【図８】
0005433651.tif 000009
【図９】
0005433651.tif 000010
【図１０】
0005433651.tif 000011
【図１１】
0005433651.tif 000012